(57)【要約】【課題】安価で、小形かつ軽量な心肺蘇生練習器具を提供する。【解決手段】心肺蘇生練習器具１は、疑似心臓部２と、押圧報知部３と、を備えている。疑似心臓部２は、外力が加わると変形し、外力が無くなると元の形状に復元する多孔質体により形成されている。押圧報知部３は、疑似心臓部に外力が加わり、予め設定された規定量以上変形したときに、その旨を報知する。したがって、胸骨圧迫の練習時に、押圧報知部３が報知するまで疑似心臓部２を押圧することで、適切に押圧できているかを確認しながら胸骨圧迫の練習ができる。また、疑似心臓部２は、復元性があり、人の胸を押圧しているのと同様の感触が得られるので、現場で心肺蘇生法の必要な人に処置を行っているのと同様の感覚で胸骨圧迫の練習を行うことができる。【選択図】図４
2013050710.tif 000002
【特許請求の範囲】
【請求項１】
外力が加わると変形し、外力が無くなると元の形状に復元する多孔質体により形成された疑似心臓部と、
前記疑似心臓部に外力が加わり、予め設定された規定量以上変形したときに、その旨を報知する押圧報知部と、
を備えた心肺蘇生練習器具。
【請求項２】
前記疑似心臓部は、ポリエーテル系の軟質ポリウレタンフォームにより形成された、請求項１に記載の心肺蘇生練習器具。
【請求項３】
前記疑似心臓部は、その上面よりもその下面に近い位置に、前記押圧報知部を内包する、請求項１または２に記載の心肺蘇生練習器具。
【請求項４】
前記疑似心臓部は、前記下面に識別マークを備えた、請求項３に記載の心肺蘇生練習器具。
【請求項５】
前記押圧報知部は、前記疑似心臓部に外力が加わると、前記疑似心臓部と共に変形して圧縮された空気を送り、前記外力が無くなると元の形状に復元するふいご、及び前記ふいごから送られた空気により音が鳴る笛を有し、前記疑似心臓部に内包された鳴き笛を含む、請求項１に記載の心肺蘇生練習器具。
【請求項６】
前記押圧報知部は、前記疑似心臓部に外力が加わり変形して外力が加わると発電する圧電素子と、
前記圧電素子に接続され、前記圧電素子が発電したときに点灯するＬＥＤと、を含む、請求項１に記載の心肺蘇生練習器具。
【請求項７】
ＡＥＤの電極パッドを模した２枚の疑似電極パッドと、
人の上半身のイラスト、前記疑似心臓部の載置位置、ＡＥＤの操作面のイラスト、及び前記疑似電極パッドの載置位置が記載されたトレーニングシートと、
これらを収納する収納袋と、
を備えた、請求項１乃至６のいずれか１項に記載の心肺蘇生練習器具。
【発明の詳細な説明】
【技術分野】
【０００１】
本発明は、ＡＥＤを併用した心肺蘇生法の練習を行うための心肺蘇生練習器具に関する。
【背景技術】
【０００２】
近時、呼吸停止や心停止状態になった傷病者を救命するために、自動体外式除細動器（Automated External Defibrillator：以下、ＡＥＤと称する。）が、公共施設などに設置されている。
【０００３】
また、ＡＥＤの普及に伴い、一般市民を対象に、ＡＥＤを併用した心肺蘇生法を教授する講習会が開催される機会が増えている。このような講習会では、参加者は、例えば、特許文献１に開示されたような練習器具を用いて、心肺蘇生法である胸骨圧迫やＡＥＤの使用方法を学ぶことができる。
【先行技術文献】
【特許文献】
【０００４】
【特許文献１】国際公開第２０１０／１４７１２９号パンフレット
【発明の概要】
【発明が解決しようとする課題】
【０００５】
心肺蘇生法やＡＥＤの使用方法をさらに普及させるためには、講習会を受けた人がＡＥＤを併用した心肺蘇生法を自宅などでいつでも練習できることが望ましい。
【０００６】
特許文献１に記載の練習器具は、安価に製造でき小形で軽量になるように、素材や形状を考慮して作成されているが、練習器具を個人でも所有できるように、さらに安価な練習器具が望まれている。また、練習器具を個人で所有した場合に、保管場所に困らず、容易に持ち運べるように、さらに小形で軽量な練習器具が望まれている。
【０００７】
そこで、本発明は、安価に製造することができ、小形かつ軽量な心肺蘇生練習器具を提供することを目的とする。
【課題を解決するための手段】
【０００８】
この発明の心肺蘇生練習器具は、疑似心臓部と、押圧報知部と、を備えている。疑似心臓部は、外力が加わると変形し、外力が無くなると元の形状に復元する多孔質体により形成されている。押圧報知部は、疑似心臓部に外力が加わって予め設定された規定量以上変形すると、音、光または振動などにより疑似心臓部が規定量以上変更したことを使用者に対して報知する。押圧報知部は、疑似心臓部が規定量以上変形しているときに、その旨を報知する。
【０００９】
この発明の心肺蘇生練習器具は、疑似心臓部が押圧されて規定量以上変形すると、押圧報知部が音、光、または振動などにより報知する。したがって、胸骨圧迫の練習時に、押圧報知部が報知するまで疑似心臓部を押圧することで、適切に押圧できているかを確認しながら胸骨圧迫の練習ができる。
【００１０】
また、疑似心臓部は、復元性があり、人の胸を押圧しているのと同様の感触が得られるので、現場で心肺蘇生法の必要な人に処置を行っているのと同様の感覚で胸骨圧迫の練習を行うことができる。
【００１１】
上記発明では、疑似心臓部は、ポリエーテル系の軟質ポリウレタンフォームにより形成されている。
【００１２】
ポリエーテル系の軟質ポリウレタンフォームは、安価な材料なので、疑似心臓部を安価に製造できる。また、ポリエーテル系の軟質ポリウレタンフォームは、ヘタリが小さく、復元性がよく、加水分解しないなど、耐久性に優れている。また、耐寒性に優れており、季節によって硬さが極端に変わることがない。したがって、疑似心臓部は、季節に因らず硬さが安定しており、複数回押圧する胸骨圧迫の練習に長期間使用できる。また、ポリエーテル系の軟質ポリウレタンフォームとして、自動車内に取り付ける椅子のクッションなどに使用する耐候性に優れたものを使用することで、屋外でも使用できる。
【００１３】
上記発明では、疑似心臓部は、上面よりも下面に近い位置に、鳴き笛を内包する空間が形成されている。
【００１４】
この構成では、疑似心臓部の下面から鳴き笛を内包する空間までの厚みを、子供に対して胸骨圧迫を行った際に胸骨を沈める深さに調整し、疑似心臓部の上面から鳴き笛を内包する空間までの厚みを、大人に対して胸骨圧迫を行った際に胸骨を沈める深さに調整することで、１つの疑似心臓部を用いて、子供と大人の両者に対する胸骨圧迫の練習を行うことができる。
【００１５】
上記発明では、疑似心臓部の下面に識別マークが形成されている。
【００１６】
この構成では、子供に対する胸骨圧迫の練習を行う面である下面に識別マークが形成されているので、側面の笛の位置を確認しなくても、識別マークにより、どちらの面であるかを識別できる。したがって、胸骨圧迫の練習を行う際に、大人と子供のどちらに行うかを容易に判別できる。
【００１７】
この発明の押圧報知部は、鳴き笛を含んでいる。鳴き笛は、疑似心臓部に外力が加わると、疑似心臓部と共に変形して圧縮された空気を送り、外力が無くなると元の形状に復元するふいご、及びふいごから送られた空気により音が鳴る笛を有し、疑似心臓部に内包されている。
【００１８】
この発明では、疑似心臓部が鳴き笛を内包しているので、疑似心臓部を押圧して所定量変形させると、鳴き笛のふいごも変形して笛が鳴る。したがって、胸骨圧迫の練習時に、疑似心臓部を所定量押圧すると、鳴き笛が鳴るので、適切に押圧できているかを音で確認できる。
【００１９】
また、疑似心臓部と鳴き笛のふいごは、復元性があり、押圧が解除されると元の形に復元するので、人の胸を押圧しているのと同様の感触で、胸骨圧迫の練習を連続して複数回行うことができる。
【００２０】
また、疑似心臓部は多孔質体から成り、鳴き笛はふいごと笛のみにより構成されるので、安価に製造することができ、心肺蘇生練習器具を安価にすることができる。また、鳴き笛を内包する疑似心臓部を用意するだけで、胸骨圧迫の練習ができ、疑似心臓部や鳴き笛は軽量な素材で作成でき、疑似心臓部のサイズも握りこぶし程度の大きさでよいので、練習器具を小形かつ軽量にすることができる。
【００２１】
また、疑似心臓部が鳴き笛を内包しており、鳴き笛に手や爪が直接当たらないので、ふいごが傷付くのを防止できる。また、疑似心臓部と鳴き笛は、共に外力により変形し、復元性があるので、疑似心臓部を押圧したときに、鳴き笛が疑似心臓部から飛び出したり、鳴き笛から笛が外れたりするのを防止できる。このように、鳴き笛を内包する疑似心臓部は、破損しにくい構成で耐久性があるので、長期間使用することができる。
【００２２】
押圧報知部は、圧電素子と、ＬＥＤと、を含む。圧電素子は、疑似心臓部に外力が加わり変形して外力が加わると発電する。ＬＥＤは、圧電素子に接続され、圧電素子が発電したときに点灯する。
【００２３】
この発明では、圧電素子にＬＥＤを接続することで、疑似心臓部が押圧されて所定量変形したことを光により報知できる。また、圧電素子を用いることで電池が不要であり、電池交換をすることなく、疑似心臓部を使用できる。
【００２４】
上記発明では、心肺蘇生練習器具は、疑似心臓部と、２枚のＡＥＤ疑似電極パッドと、トレーニングシートと、収納袋と、を備えている。２枚の疑似電極パッドは、ＡＥＤの電極パッドを模したものである。トレーニングシートは、人の上半身のイラスト、疑似心臓部の載置位置、ＡＥＤの操作面のイラスト、及び疑似電極パッドの載置位置が記載されている。
【００２５】
この発明では、２枚のＡＥＤ疑似電極パッドと、トレーニングシートを備えているので、胸骨圧迫の練習だけでなく、ＡＥＤの使用法の練習を行うことができる。また、トレーニングシートは折り畳むことができ、疑似心臓部や疑似電極パッドとともに収納袋に収納できるので、練習器具の準備、片付け、及び持ち運びを容易に行うことができる。
【００２６】
また、ＡＥＤの電極パッドとして疑似電極パッドを使用し、人の上半身のイラストやＡＥＤの操作面のイラストが記載されたトレーニングシートを使用するので、心肺蘇生練習器具の各部品を安価に製造することが可能となる。また、心肺蘇生練習器具の部品数を抑制することができ、装置の構成を小形かつ軽量にすることができる。
【発明の効果】
【００２７】
この発明によれば、心肺蘇生練習器具を小形かつ軽量にすることができる。また、心肺蘇生練習器具を安価に製造することができ、装置の価格を安価にすることができる。
【図面の簡単な説明】
【００２８】
【図１】本発明の実施形態に係る心肺蘇生練習器具の構成を示す図である。
【図２】本発明の実施形態に係る心肺蘇生練習器具を構成する疑似心臓部の斜視図である。
【図３】鳴き笛の斜視図である。
【図４】疑似心臓部の４面図（正面図、右側面図、背面図、及び上面図）、正面図におけるＡ−Ａ矢視断面図、及び正面図におけるＢ−Ｂ矢視断面図である。
【図５】音声発生部を内蔵した疑似心臓部の４面図、Ａ−Ａ矢視断面図、及びＢ−Ｂ矢視断面図である。
【図６】音声発生部を外部に備えた疑似心臓部の４面図、Ａ−Ａ矢視断面図、及びＢ−Ｂ矢視断面図である。
【図７】光発生部を備えた疑似心臓部の４面図、Ａ−Ａ矢視断面図、及びＢ−Ｂ矢視断面図である。
【図８】（Ａ）は、振動モータを備えた疑似心臓部の断面図である。（Ｂ）は、圧電素子を備えた疑似心臓部の断面図である。
【図９】ＡＥＤ疑似電極パッドの外観図である。
【図１０】トレーニングシートの外観図である。
【発明を実施するための形態】
【００２９】
本発明の心肺蘇生練習器具１は、胸骨圧迫の練習と、ＡＥＤの使い方の練習と、を行うための器具である。図１に示すように、心肺蘇生練習器具１は、疑似心臓部２、２枚のＡＥＤ疑似電極パッド４、トレーニングシート６、及び収納袋８を備えている。心肺蘇生練習器具１の各部品は、収納袋８に収納されている。
【００３０】
疑似心臓部２は、胸骨圧迫の練習に使用する部品である。疑似心臓部２は、一例として、多孔質体の一種であるポリエーテル系の軟質ポリウレタンフォームにより形成されている。疑似心臓部２は、図２に示すように一例としてハート型に形成されている。そのサイズは、大人の握りこぶし程度の大きさであり、一例として、縦１１５ｍｍ、横１００ｍｍ、厚さ５０ｍｍである。また、重さが１３５ｇ±５ｇ、アスカーＦ型硬度が７５±３である。疑似心臓部２の表面は、厚み約１．５ｔのアクリルウレタンによりコーティングされている。疑似心臓部２は、外力が加わると変形し、外力が無くなると元の形状に復元する。疑似心臓部２を上記のように形成することで、胸骨圧迫の練習時に、人の胸を押圧（圧迫）したときと同様の感触を再現できる。
【００３１】
疑似心臓部２の材料であるポリエーテル系の軟質ポリウレタンフォームは、以下のような特徴を有する。
【００３２】
１．使用者が汗などの水分の付着した手で触っても、ポリエステル系のポリウレタンフォームのように加水分解しない。
【００３３】
２．繊維綿や金属ばねに比べてヘタリが小さく、復元性がよい。
【００３４】
３．耐熱性、耐寒性は優れており、−２０℃〜１００℃の範囲で使用できる。また、自動車内に取り付ける椅子のクッションなどの材料として使用する耐候性に優れたものを使用することで、屋外でも使用できる。
【００３５】
このように、ポリエーテル系の軟質ポリウレタンフォームは、季節によって硬さが極端に変わることがなく硬さが安定しており、耐久性に優れている。また、材料を選択することで、屋外でも使用できる。したがって、疑似心臓部２は、複数回押圧する胸骨圧迫の練習に長期間使用できる。
【００３６】
また、ポリエーテル系の軟質ポリウレタンフォームは、安価な材料なので、疑似心臓部２を安価に製造することができる。
【００３７】
疑似心臓部２は、下面２Ｌの中央部に、識別マークであるハートマーク２１が形成されている。このハートマーク２１は、疑似心臓部２の下面側を識別するためのものである。
【００３８】
疑似心臓部２は、図３に示す鳴き笛３を内包しており、側面に鳴き笛の音を放音するための穴２２が形成されている。穴２２からは、鳴き笛３は延出していない。
【００３９】
図３に示すように、鳴き笛３は、押圧報知部に相当し、ふいご（ブローともいう。）３１と、笛３３と、を備えている。ふいご３１は、イチジクのような形であり、筒状の部分の先端部に通気口３１１が設けられている。この通気口３１１に、笛３３が装着されている。ふいご３１のサイズは、一例として、長さ５７ｍｍ、幅４６ｍｍ、高さ２１ｍｍである。ふいご３１は、ポリプロピレンなどの柔軟性を有する軟質合成樹脂により形成されている。笛３３は、ポリエチレンなどの合成樹脂により形成されている。鳴き笛３は、このような材料から形成されているので、安価に製造することができる。また、ふいご３１の素材であるポリエチレンなどの軟質合成樹脂は、押圧による変形に対して耐久性があるので、長期間使用できる。
【００４０】
鳴き笛３のふいご３１は、外力が加わると変形して圧縮された空気を送り、外力が無くなると元の形状に復元する。笛３３は、ふいご３１から空気が送られると、この空気によりリードが振動して音が鳴る。
【００４１】
図４に示すように、疑似心臓部２は、鳴き笛３を収納する収納空間２３を備えている。収納空間２３は、孔のないドーナツ形の空間２３１と、筒状の空間２３２から成る。収納空間２３は、疑似心臓部２の中央部であって、疑似心臓部２の上面２Ｕよりも下面２Ｌに近い位置に形成されている。図４のＡ−Ａ矢視断面図に示すように、収納空間２３の中心部から上面２Ｕまでの距離（厚み）Ｈ１＞収納空間２３の中央部から下面２Ｌまでの距離（厚み）Ｈ２である。一例として、Ｈ１＝３３ｍｍ、Ｈ２＝１７ｍｍである。
【００４２】
疑似心臓部２の収納空間２３に鳴き笛３を収納することで、鳴き笛３に、使用者の手や爪が直接当たらないので、ふいご３１が傷付かない。また、疑似心臓部２と鳴き笛３は、共に外力により変形し、外力が無くなると元の形状に復元するので、疑似心臓部２の上面２Ｕまたは下面２Ｌを押圧しても、鳴き笛３が疑似心臓部２から飛び出すことがない。また、笛３３は、ふいご３１の通気口３１１に装着されているので、疑似心臓部２の押圧により、鳴き笛３から笛３３が外れることがない。このように、疑似心臓部２及び鳴き笛３は、共に耐久性を有しており、破損しにくい構成なので、鳴き笛３を内包する疑似心臓部２を長期間使用することができる。
【００４３】
疑似心臓部２には、上記のように上面２Ｕよりも下面２Ｌに近い位置に収納空間２３を設けているので、上面２Ｕと下面２Ｌのいずれを上向きに置くかによって、上向きの面から収納空間２３に収納された鳴き笛３までの距離が変わる。疑似心臓部２はこのような構成なので、疑似心臓部２の上向きの面を入れ替えることで、大人に対する胸骨圧迫の練習と、子供に対する胸骨圧迫の練習を行うことができる。
【００４４】
大人に対して胸骨圧迫を行うときには、胸骨が５０ｍｍ以上沈むように圧迫することが推奨されている。また、疑似心臓部２の上面２Ｕを上向きに置いた場合には、使用者は手のひらで、疑似心臓部２の上面２Ｕを、予め設定された第１の規定量であるＨ１（＝３３ｍｍ）以上沈むように押圧することで、鳴き笛３を鳴らすことができ、上面２Ｕを押圧したときに沈むのがＨ１未満であれば、鳴き笛３は鳴らない。したがって、疑似心臓部２の上面２Ｕを下面２Ｌの方向に、例えば４０ｍｍ以上押圧することで、鳴き笛３の音を確認しながら、実際に大人に対して実際に胸骨圧迫を行うような感覚を体感しながら、練習を行うことができる。
【００４５】
なお、疑似心臓部２の厚みは、一例として５０ｍｍとしたが、さらに厚みを増加させることで、疑似心臓部２を５０ｍｍ以上沈むように押圧することができ、より実地に近い練習を行うことができる。
【００４６】
一方、子供に対して胸骨圧迫を行うときには、胸の厚みの１／３程度沈むように圧迫することが推奨されている。また、疑似心臓部２の下面２Ｌを上向きに置いた場合には、使用者は手のひらで、疑似心臓部２の下面２Ｌを、予め設定された第２の規定量であるＨ２（＝１７ｍｍ）以上沈むように押圧することで、鳴き笛３を鳴らすことができ、下面２Ｌを押圧したときに沈むのがＨ２未満であれば、鳴き笛３は鳴らない。
【００４７】
したがって、疑似心臓部２の下面２Ｌを上面２Ｕの方向に、例えば２０〜３０ｍｍ沈むように押圧することで、鳴き笛３の音を確認しながら、実際に子供に対して実際に胸骨圧迫を行うような感覚を体感しながら、練習を行うことができる。
【００４８】
なお、前記のように、疑似心臓部２の下面２Ｌには、ハートマーク２１が形成されているので、胸骨圧迫の練習を行うときには、このハートマーク２１を確認することで、疑似心臓部２の向きを容易に判別できる。
【００４９】
疑似心臓部２は、その上面２Ｕまたは下面２Ｌを押圧して、疑似心臓部２が前記規定量以上変形したことを、音、光、または振動などにより報知する構成であれば、他の構成でもよい。例えば、疑似心臓部２は、押圧報知部として、鳴き笛３に代えて電子音発生器やブザーなどの音声発生部５を備えるように構成する。音声発生部５は、鳴き笛３と同様に疑似心臓部２の内部に設けても、疑似心臓部２の外部に設けてもよい。図５に示すように、音声発生部５を疑似心臓部２の内部に設ける場合には、疑似心臓部２が複数回押圧されたときに音声発生部５が破損しないように構成する。例えば、音声発生部５の電子回路をフレキシブル基板上に形成し、シリコンゴムなど弾力性のある保護材を基板上に塗布して電子回路部５１を保護する。また、電子回路部５１を小型にするために、ボタン電池５２などの小型電池を使用する。これにより、電子回路部５１に可撓性を持たせることができ、疑似心臓部２が複数回押圧されても電子回路部５１が破損するのを防止できる。疑似心臓部２が予め設定された規定量以上変形すると、電子回路部５１に設けたスピーカまたはブザー（不図示）から電子音またはブザー音が鳴るように、スイッチを構成する。例えば、図５に示すように、疑似心臓部２の内部に設けた空間２３１を介して対向する平面２３１Ｕと平面２３１Ｌにそれぞれ電極５３と電極５４を接着し、両電極によりスイッチを構成する。
【００５０】
音声発生部５を疑似心臓部２の外部に設ける場合には、例えば、図６に示すように、その電子回路部や電池を筐体５５内に設け、その一端面からパイプ５６が突出した形状に形成する。そして、このパイプ５６を疑似心臓部２の筒状の空間２３２（穴２２）に差し込む。また、疑似心臓部２の内部に設けた空間２３１を介して対向する平面２３１Ｕと平面２３１Ｌにそれぞれ電極５３と電極５４を接着する。両電極は、それぞれパイプ内を通過する電線により音声発生部５の電子回路に接続する。両電極は、疑似心臓部２を規定量以上変形させたときに接触して通電し、電子音またはブザー音が筐体５５から放音される。音声発生部５には、ボタン電池などの小型電池を使用することで、筐体５５を小型化できる。
【００５１】
図７に示すように、疑似心臓部２は、鳴き笛３、電子音発生器、またはブザーなどの音声発生部５のように音により押圧を報知する構成に代えて、ＬＥＤや豆電球などの光発生部７を設けることで、疑似心臓部２の規定量以上の押圧による変形を光により報知することも可能である。この構成では、例えばＬＥＤ７１を、疑似心臓部２の筒状の空間２３２に挿入し、ＬＥＤ７１の先端部を穴２２から突出させる。また、電池ケースに収納したボタン電池７２を疑似心臓部２のスポンジの間に挟み込む。さらに、ＬＥＤや豆電球を点灯させるスイッチとしては、電子音発生器またはブザーの場合と同様に、疑似心臓部２内に設けた空間２３１を介して対向する平面２３１Ｕと平面２３１Ｌにそれぞれ電極５３と電極５４を接着する。疑似心臓部２の上面２Ｕまたは下面２Ｌを押圧して、疑似心臓部２が規定量以上変形したときに、電極５３と電極５４が接触して通電するので、ＬＥＤ７１が点灯する。
【００５２】
上記構成において、ＬＥＤまたは豆電球に代えて、携帯電話などに採用されている振動モータを用いるようにしてもよい。この場合には、図８（Ａ）に示すように、穴２２から振動モータ８１が突出しないように疑似心臓部２の筒状の空間２３２に挿入する。そして振動モータ８１に接続された一方の電線を電極５４に接続する。また、振動モータに接続された他方の電線を、ボタン電池７２を介して電極５３に接続する。このように構成することで、疑似心臓部２が押圧されて規定量以上変形したときには、電極５３と電極５４が接触して通電し、振動モータ８１が振動するので、振動により疑似心臓部が規定量以上の変形を報知することができる。
【００５３】
また、押圧報知部としては、複数種類の情報伝達媒体により疑似心臓部２の規定量以上の押圧を報知することも可能である。例えば、音と光により疑似心臓部２の規定量以上の押圧を報知することができる。この場合には、前記の鳴き笛３のふいごを孔の開いたドーナツ形に形成する。また、疑似心臓部２の内部に設けた空間２３１に、鳴き笛３のふいごの孔を介して対向するように電極５３と電極５４を配置する。
【００５４】
そして、疑似心臓部２を規定量以上押圧したときに、ふいごに設けたドーナツ形の孔を介して電極５３と電極５４が接触するように配置する。そして、鳴き笛３用の穴２２とは異なる位置に孔を設けて、ＬＥＤまたは豆電球を挿入して先端部をこの孔から突出させる。また、この電極に前記のように電池とＬＥＤまたは豆電球を接続する。このように構成することで、疑似心臓部２が規定量以上押圧されると、その旨が音と光により報知される。これにより、ユーザは、疑似心臓部２が規定量以上変更したことを容易に把握できる。また、鳴き笛３と振動モータを疑似心臓部２に設けることで、疑似心臓部２が規定量以上変形したことを音と振動により報知することができる。また、ＬＥＤと振動モータを疑似心臓部２に設けることで、疑似心臓部２が規定量以上変形したことを光と振動により報知することができる。
【００５５】
もちろん、鳴き笛、ＬＥＤ、及び振動モータを疑似心臓部２に設けることで、疑似心臓部２が規定量以上変形したことを音と光と振動により報知するように構成することも可能である。また、鳴き笛３に代えて、電子音発生器またはブザーを設置することも可能である。
【００５６】
図８（Ｂ）に示すように、圧電素子９１を使用し、疑似心臓部２が規定量以上変形したときに、圧電素子９１を押圧部９２するように構成する。圧電素子９１は、外部から力を加えられると電圧を発生するので、圧電素子９１とＬＥＤ７１を接続しておくことで、電池を使用することなく、ＬＥＤ７１を点灯させることができる。
【００５７】
この構成では、ＬＥＤ７１を、疑似心臓部２の筒状の空間２３２に挿入し、ＬＥＤ７１の先端部を穴２２から突出させる。また、疑似心臓部２の内部に設けた空間２３１を介して対向する平面２３１Ｕと平面２３１Ｌの一方の面に、アクリル板９３に貼り付けた圧電素子９１を、他方の面に対向させて接着する。また、他方の面に、圧電素子を押圧する押圧部９２を備えたアクリル板９４を接着する。
【００５８】
これにより、疑似心臓部２の上面２Ｕまたは下面２Ｌを押圧して、疑似心臓部２が規定量以上変形したときに、圧電素子９１が、押圧部９２に押圧されるので、圧電素子９１に電圧が生じてＬＥＤ７１が点灯する。
【００５９】
なお、圧電素子９１の表面の摩耗を防止するために、保護剤を塗布しておく。
【００６０】
また、圧電素子９１の発電量に応じて、音声発生部または振動モータを設けて、電子音やブザー音または振動により疑似心臓部が規定量以上変形したことを報知するように構成することも可能である。
【００６１】
次に、ＡＥＤ疑似電極パッド４は、ＡＥＤの使用法を練習する際に、人の胸に貼り付ける電極パッドを模したものである。ＡＥＤ疑似電極パッド４は、板状の芯材（厚紙またはプラスチック板）の周囲を塩化ビニルフィルムで被覆した構成であり、サイズは一例として６０ｍｍ×６０ｍｍ×４ｍｍである。表面４Ｈには、図９に示すように、人の上半身にＡＥＤ疑似電極パッド４を貼り付けたイラスト４１が記載されている。なお、ＡＥＤ疑似電極パッド４には、裏面に粘着剤は塗布されておらず、ゴミなどが付着することがないので、長期間使用できる。
【００６２】
ＡＥＤ疑似電極パッド４は、このような材料により構成されているので、他の部品と同様に、安価に製造することができる。
【００６３】
次に、トレーニングシート６は、ポリエチレンなどの合成樹脂製であり、図１に示したように折り畳むことが可能である。トレーニングシート６のサイズは、一例として、６００ｍｍ×６００ｍｍである。図１０に示すように、トレーニングシート６には、大人の男性の上半身のイラスト６１、疑似心臓部２の載置位置６２、ＡＥＤの操作面のイラスト６３、ＡＥＤ疑似電極パッド４の載置位置６４，６５、及び救急救命の３つのステップの説明６６１〜６６３が記載されている。疑似心臓部２の載置位置６２は、胸の中央部である。ＡＥＤ疑似電極パッド４の載置位置６４は、胸の右上（鎖骨下）である。ＡＥＤ疑似電極パッド４の載置位置６５は、左下側（乳頭の外側下方）である。
【００６４】
トレーニングシート６は、このような構成なので、安価に製造することができる。
【００６５】
次に、心肺蘇生法の練習を行うときには、トレーニングシート６に記載された、救急救命の３つのステップの説明６６１〜６６３に従って行う。
【００６６】
１．ステップ１の説明６６１に従って、１１９番通報とＡＥＤの要請を行う練習を行う。
【００６７】
２．ステップ２の説明６６２に従って、胸骨圧迫の練習を行う。胸骨圧迫の練習を行うときには、以下の手順で行う。
【００６８】
２−１．大人に対する胸骨圧迫の練習を行うときには、トレーニングシート６に描かれた疑似心臓部２の載置位置６２（男性のイラスト６１の胸部中央部）に、上面２Ｕを上向きにして疑似心臓部２を載置する。なお、子供に対する胸骨圧迫の練習を行うときには、疑似心臓部２の載置位置６２に、下面２Ｌを上向きにして疑似心臓部２を載置する。
【００６９】
２−２．使用者は、疑似心臓部２の上面２Ｕが４０ｍｍ以上沈むように押圧する。このとき、１分間に１００回以上のペースで疑似心臓部２を押圧する。なお、子供に対する胸骨圧迫の練習を行うときには、疑似心臓部２の下面２Ｌが２０ｍｍ〜３０ｍｍ沈むように押圧する。
【００７０】
３．ステップ３の説明６６３に従って、ＡＥＤの使い方の練習を行う。
【００７１】
３−１．ＡＥＤの操作面のイラスト６３の電源ボタン６３１を押圧する。
【００７２】
３−２．ＡＥＤ疑似電極パッドの載置位置６４，６５に、２つのＡＥＤ疑似電極パッド４をそれぞれ載置する。
【００７３】
３−３．周囲に人がいないか安全を確認する。
【００７４】
３−４．ＡＥＤの操作面のイラスト６３のショックボタン６３２を押圧する。
【００７５】
このように、心肺蘇生練習器具１を使用することで、傷病者に対して実際に心肺蘇生法を行っている状態を疑似的に体験できるので、練習により３つのステップを習得することで、傷病者に対して実際に心肺蘇生法を行う状況になったとしても、戸惑うことなく心肺蘇生法を行うことができる。
【００７６】
なお、胸骨圧迫の練習時には、疑似心臓部２、ＡＥＤ疑似電極パッド４、及びトレーニングシート６を用いることで臨場感が得られるが、疑似心臓部２だけを使用しても胸骨圧迫の練習を行うことができる。また、疑似心臓部２は、トレーニングシート６以外の他の人体模倣図や、心肺蘇生練習器具１以外の他の練習器具と組み合わせるなどして、使用することができる。例えば、特許文献１に記載の練習器具に含まれる心臓マッサージ練習用の押圧部に代えて、本発明の疑似心臓部２を使用することが可能である。また、ＡＥＤの使い方のみを練習できる練習器具に対して、本発明の疑似心臓部２を用意することで、ＡＥＤを併用した心肺蘇生法の学習が可能となる。
【００７７】
収納袋８は、疑似心臓部２、２枚のＡＥＤ疑似電極パッド４及びトレーニングシート６を収納する不織布製の巾着袋である。収納袋８のサイズは、一例として、縦２７０ｍｍ×横２５０ｍｍである。収納袋８は、このような構成なので、安価に製造することができる。
【００７８】
以上のように、心肺蘇生練習器具１の各部品は、それぞれ小形かつ軽量で、安価に製造することが可能である。また、心肺蘇生練習器具１の各部品は、収納袋８に収納でき、容易に持ち運ぶことができる。したがって、心肺蘇生練習器具１は、従来の練習器具と比較して、準備や片付けが容易で、また、持ち運びも容易である。
【００７９】
また、心肺蘇生練習器具１の各部品は安価に製造できるので、心肺蘇生練習器具１の販売価格を抑制することで、心肺蘇生法の講習会に参加した参加者が手軽に購入でき、自宅などで心肺蘇生法の練習を気軽に行うことができる。
【００８０】
また、鳴き笛３を内包する疑似心臓部２は耐久性があり、破損しにくい構成なので、複数回押圧する胸骨圧迫の練習に長期間使用できる。また、鳴き笛３を内包する疑似心臓部２は、単独で使用することも、他の人体模倣図や他の練習器具と組み合わせて使用することもできる。
【産業上の利用可能性】
【００８１】
ＡＥＤを併用した心肺蘇生法の練習を行うための心肺蘇生練習器具に適用できる。
【符号の説明】
【００８２】
１…心肺蘇生練習器具
２…疑似心臓部
２Ｌ…下面
２Ｕ…上面
３…鳴き笛（押圧報知部）
４…ＡＥＤ疑似電極パッド
５…音声発生部
６…トレーニングシート
７…光発生部
８…収納袋
２１…ハートマーク
２２…穴
２３…収納空間
３１…袋体
３３…笛
６３１…電源ボタン
６３２…ショックボタン
【図１】
2013050710.tif 000003
【図２】
2013050710.tif 000004
【図３】
2013050710.tif 000005
【図４】
2013050710.tif 000006
【図５】
2013050710.tif 000007
【図６】
2013050710.tif 000008
【図７】
2013050710.tif 000009
【図８】
2013050710.tif 000010
【図９】
2013050710.tif 000011
【図１０】
2013050710.tif 000012